(57)【要約】  加熱調理器は、表示部(１０)と、表示部(１０)を制御する表示制御部(１１０ｃ)とを備える。上記表示制御部(１１０ｃ)は、表示部(１０)の表示画面をユーザーが見る可能性が高い時間に、表示部(１０)に広告を表示するように、表示部(１０を制御する。これにより、ユーザーに煩わしさを感じさせることなく効果的な広告通知ができる加熱調理器を提供する。
2018003149.tif 000002
【特許請求の範囲】
【請求項１】
表示部(１０)と、
上記表示部(１０)を制御する表示制御部(１１０ｃ)と
を備え、
上記表示制御部(１１０ｃ)は、上記表示部(１０)の表示画面をユーザーが見る可能性が高い時間に広告を表示するように、上記表示部(１０)を制御することを特徴とする加熱調理器。
【請求項２】
請求項１に記載の加熱調理器において、
上記表示部(１０)の表示画面をユーザーが見る可能性が高い時間は、加熱調理の終了直前の予め定められた期間を含むことを特徴とする加熱調理器。
【請求項３】
請求項２に記載の加熱調理器において、
上記表示部(１０)の表示画面をユーザーが見る可能性が高い時間は、上記加熱調理の終了直前の予め定められた期間で、かつ、上記加熱調理の終了を事前に報知した後であることを特徴とする加熱調理器。
【請求項４】
請求項１から３までのいずれか１つに記載の加熱調理器において、
上記表示部(１０)の表示画面をユーザーが見る可能性が高い時間は、加熱調理の開始直後の予め定められた期間を含むことを特徴とする加熱調理器。
【請求項５】
請求項１から４までのいずれか１つに記載の加熱調理器において、
被加熱物を加熱するための加熱庫(２)と、
上記加熱庫(２)の開口部を開閉する扉(３)と
を備え、
上記表示部(１０)の表示画面をユーザーが見る可能性が高い時間は、加熱調理を終了した時点から上記扉(３)が開閉されるまでの期間を含むことを特徴とする加熱調理器。
【請求項６】
請求項１から５までのいずれか１つに記載の加熱調理器において、
ユーザーにより操作される入力操作部(９)と、
上記表示部(１０)に表示するための上記広告の情報を外部の情報提供装置(２００)から取得する広告情報取得部(１１０ｅ)と
を備え、
上記広告情報取得部(１１０ｅ)は、加熱調理中または上記入力操作部(９)の操作をしていないときに、上記情報提供装置(２００)から上記広告の情報を取得することを特徴とする加熱調理器。
【請求項７】
請求項６に記載の加熱調理器において、
上記表示部(１０)に表示した上記広告の履歴を上記情報提供装置(２００)に通知する履歴通知部(１１１０ｆ)を備え、
上記広告情報取得部(１１０ｅ)は、上記履歴通知部(１１１０ｆ)により上記広告の履歴が通知された上記情報提供装置(２００)から、上記表示部(１０)に表示された上記広告とは別の広告の情報を取得可能としたことを特徴とする加熱調理器。
【請求項８】
請求項１から７のいずれか１つに記載の加熱調理器において、
上記表示部(１０)に表示するためのテレビ広告に関わる情報を外部のテレビ広告提供装置(２２００)から取得するテレビ広告情報取得部(２１１０ｆ)と、
上記テレビ広告情報取得部(２１１０ｆ)により取得された上記テレビ広告に関わる情報を上記表示部(１０)に表示するタイミングを、テレビ放送において放送される上記テレビ広告と連動させるテレビ広告連動部(２１１０ｇ)と
を備え、
上記表示制御部(１１０ｃ)は、上記テレビ広告情報取得部(２１１０ｆ)により取得された上記テレビ広告に関わる情報を、上記テレビ広告連動部(２１１０ｇ)によって上記テレビ放送において放送される上記テレビ広告と連動させて上記表示部(１０)に表示するように、上記表示部(１０)を制御することを特徴とする加熱調理器。
【発明の詳細な説明】
【技術分野】
【０００１】
この発明は、加熱調理器に関する。
【背景技術】
【０００２】
従来、加熱調理器としては、サーバーからネットワークを介して配信された広告情報を表示するものがある(例えば、特開２００１−９０９５３号公報(特許文献１)参照)。【０００３】
上記加熱調理器では、レシピ情報と一緒に広告情報を表示部に表示したり、一定の時間毎に広告情報を表示部に表示したりする。
【先行技術文献】
【特許文献】
【０００４】
【特許文献１】特開２００１−９０９５３号公報
【発明の概要】
【発明が解決しようとする課題】
【０００５】
ところで、上記加熱調理器では、レシピ情報と一緒に広告情報を表示部に表示したり、一定の時間毎に広告情報を表示部に表示したりして、ユーザーの意に反して広告が表示されるため、ユーザーが煩わしく感じるという問題がある。また、このような加熱調理器では、ユーザーに対して広告内容が十分伝わらないため、効果的な広告通知ができないという問題がある。【０００６】
そこで、この発明の課題は、ユーザーに煩わしさを感じさせることなく効果的な広告通知ができる加熱調理器を提供することにある。
【課題を解決するための手段】
【０００７】
上記課題を解決するため、この発明の加熱調理器は、
表示部と、
上記表示部を制御する表示制御部と
を備え、
上記表示制御部は、上記表示部の表示画面をユーザーが見る可能性が高い時間に広告を表示するように、上記表示部を制御することを特徴とする。【０００８】
また、一実施形態の加熱調理器では、
上記表示部の表示画面をユーザーが見る可能性が高い時間は、加熱調理の終了直前の予め定められた期間を含む。【０００９】
また、一実施形態の加熱調理器では、
上記表示部の表示画面をユーザーが見る可能性が高い時間は、上記加熱調理の終了直前の予め定められた期間で、かつ、上記加熱調理の終了を事前に報知した後である。【００１０】
また、一実施形態の加熱調理器では、
上記表示部の表示画面をユーザーが見る可能性が高い時間は、加熱調理の開始直後の予め定められた期間を含む。【００１１】
また、一実施形態の加熱調理器では、
被加熱物を加熱するための加熱庫と、
上記加熱庫の開口部を開閉する扉と
を備え、
上記表示部の表示画面をユーザーが見る可能性が高い時間は、加熱調理を終了した時点から上記扉が開閉されるまでの期間を含む。【００１２】
また、一実施形態の加熱調理器では、
ユーザーにより操作される入力操作部と、
上記表示部に表示するための上記広告の情報を外部の情報提供装置から取得する広告情報取得部と
を備え、
上記広告情報取得部は、加熱調理中または上記入力操作部の操作をしていないときに、上記情報提供装置から上記広告の情報を取得する。【００１３】
また、一実施形態の加熱調理器では、
上記表示部に表示した上記広告の履歴を上記情報提供装置に通知する履歴通知部を備え、
上記広告情報取得部は、上記履歴通知部により上記広告の履歴が通知された上記情報提供装置から、上記表示部に表示された上記広告とは別の広告の情報を取得可能とした。【００１４】
また、一実施形態の加熱調理器では、
上記表示部に表示するためのテレビ広告に関わる情報を外部のテレビ広告提供装置から取得するテレビ広告情報取得部と、
上記テレビ広告情報取得部により取得された上記テレビ広告に関わる情報を上記表示部に表示するタイミングを、テレビ放送において放送される上記テレビ広告と連動させるテレビ広告連動部と
を備え、
上記表示制御部は、上記テレビ広告情報取得部により取得された上記テレビ広告に関わる情報を、上記テレビ広告連動部によって上記テレビ放送において放送される上記テレビ広告と連動させて上記表示部に表示するように、上記表示部を制御する。【００１５】
また、この発明の加熱調理器は、
音声出力部と、
上記音声出力部を制御する音声出力制御部と
を備え、
上記音声出力制御部は、上記音声出力部から出力された音声がユーザーに聞こえる可能性が高い時間に広告情報を音声出力するように、上記音声出力部を制御することを特徴とする。【００１６】
また、この発明の加熱調理器は、
表示部と、
上記表示部を制御する表示制御部と
を備え、
上記表示部に表示するためのテレビ広告に関わる情報を外部のテレビ広告提供装置から取得するテレビ広告情報取得部と、
上記テレビ広告情報取得部により取得された上記テレビ広告に関わる情報を上記表示部に表示するタイミングを、テレビ放送において放送される上記テレビ広告と連動させるテレビ広告連動部と
を備え、
上記表示制御部は、上記テレビ広告情報取得部により取得された上記テレビ広告に関わる情報を、上記テレビ広告連動部によって上記テレビ放送において放送される上記テレビ広告と連動させて上記表示部に表示するように、上記表示部を制御することを特徴とする。【００１７】
また、この発明の加熱調理器は、
音声を入力する音声入力部と、
上記音声入力部により入力された音声に基づいて、声紋認証を行って話者を特定する話者特定部と、
上記話者特定部により特定された話者に応じた調理メニューを提案する調理メニュー提案部と
を備えたことを特徴とする。
【発明の効果】
【００１８】
以上より明らかなように、この発明によれば、表示部の表示画面をユーザーが見る可能性が高い時間に広告を表示することによって、ユーザーに煩わしさを感じさせることなく効果的な広告通知ができる加熱調理器を実現することができる。
【図面の簡単な説明】
【００１９】
【図１】図１はこの発明の第１実施形態の加熱調理システムの概略構成図である。
【図２】図２は上記加熱調理システムの加熱調理器の外観斜視図である。
【図３】図３は上記加熱調理器の制御ブロック図である。
【図４】図４は上記加熱調理システムの管理サーバーの制御ブロック図である。
【図５】図５はこの発明の第２実施形態の加熱調理システムの加熱調理器の制御ブロック図である。
【図６】図６は上記加熱調理システムの管理サーバーの制御ブロック図である。
【図７】図７はこの発明の第３実施形態の加熱調理システムの加熱調理器の制御ブロック図である。
【図８】図８は上記加熱調理システムの管理サーバーの制御ブロック図である。
【図９】図９はこの発明の第４実施形態の加熱調理システムの加熱調理器の制御ブロック図である。
【図１０】図１０は配信設定について説明するための模式図である。
【図１１】図１１は音声対話について説明するための模式図である。
【図１２】図１２は広告を表示している画面の一例を示す図である。
【発明を実施するための形態】
【００２０】
以下、この発明の加熱調理器を図示の実施の形態により詳細に説明する。
【００２１】
〔第１実施形態〕
図１はこの発明の第１実施形態の加熱調理システムの概略構成図を示している。
【００２２】
この第１実施形態の加熱調理システムは、図１に示すように、家電機器の一例としての加熱調理器１００と、加熱調理器１００とインターネット網Ｎを介して通信する管理サーバー２００とを備える。
【００２３】
上記管理サーバー２００は、クラウドコンピューティングシステムを構成している。
【００２４】
上記加熱調理器１００は、無線アクセスポイント８０およびインターネット網Ｎを介して管理サーバー２００などと通信を行うＷｉＦｉ通信モジュール１２０を備える。このインターネット網Ｎは、通信ネットワークの一例である。なお、ＷｉＦｉ通信モジュール１２０が直接インターネット網Ｎに接続されるようにしてもよい。
【００２５】
上記ＷｉＦｉ通信モジュール１２０は、屋内の無線アクセスポイント８０との間で無線ＬＡＮ(ローカル・エリア・ネットワーク)による通信を行う。より詳しくは、ＷｉＦｉ通信モジュール１２０は、通信規格の一例としての無線ＬＡＮの規格であるＷｉＦｉ(登録商標)を用い、無線アクセスポイント８０を介して屋外の管理サーバー２００に情報を送信したり受信したりする。なお、ＷｉＦｉの代わりにBluetooth(登録商標)などの他の通信規格を用いてもよい。
【００２６】
図２は上記加熱調理器１００の外観斜視図を示している。
【００２７】
この加熱調理器１００は、図２に示すように、直方体形状の本体ケーシング１と、この本体ケーシング１内に設けられ、前側に開口部２ａを有する加熱庫２と、加熱庫２の開口部２ａを開閉する扉３とを備えている。
【００２８】
上記本体ケーシング１の上側かつ後側に排気ダクト５を設けている。また、本体ケーシング１の前面の下部に露受容器６を着脱可能に取り付けている。
【００２９】
上記扉３は、本体ケーシング１の前面側に下側の辺を軸に回動可能に取り付けられている。この扉３の前面(加熱庫２とは反対側の表面)には、耐熱性を有する透明な外ガラス７が設けられている。また、扉３は、外ガラス７の上側に位置するハンドル８と、外ガラス７の右側に設けられた操作パネル９とを有している。この操作パネル９は、表示部と入力操作部の一例である。
【００３０】
上記操作パネル９は、カラー液晶表示部１０と、途中で加熱を止めるときなどに押す取り消しキー１２と、加熱を開始するときに押すあたためスタートキー１３とを含んでいる。
【００３１】
上記加熱調理器１００の制御ブロック図を図３に示している。この加熱調理器１００は、図３に示すように、制御装置１１０を備えている。制御装置１１０は、ＷｉＦｉ通信モジュール１２０,操作パネル９,スピーカ２０,ヒータ３０,マグネトロン４０,ドアセンサ５０などが接続されている。また、制御装置１１０は、操作パネル９,湿度センサ(図示せず),庫内温度センサ(図示せず),ドアセンサ５０などからの信号に基づいて、ＷｉＦｉ通信モジュール１２０,操作パネル９のカラー液晶表示部１０,スピーカ２０,ヒータ３０,マグネトロン４０などを制御する。上記スピーカ２０は、音声出力部の一例である。
【００３２】
また、上記制御装置１１０は、マイクロコンピュータと入出力回路などからなり、ヒータ３０,マグネトロン４０を制御して加熱調理を行う加熱制御部１１０ａと、ＷｉＦｉ通信モジュール１２０を制御する通信制御部１１０ｂと、カラー液晶表示部１０を制御する表示制御部１１０ｃと、加熱調理器１００で実行可能な調理メニューの情報を管理する調理メニュー管理部１１０ｄと、広告情報を管理サーバー２００から取得する広告情報取得部１１０ｅとを有する。
【００３３】
また、図４は上記管理サーバー２００の構成を示すブロック図である。この管理サーバー２００は、図４に示すように、インターネット網Ｎ(図１に示す)を介した通信を行う通信部２００ａと、調理メニューの情報を管理する調理メニュー管理部２００ｂと、広告情報を提供する広告情報提供部２００ｃとを備える。
【００３４】
上記構成の加熱調理器１００において、加熱調理中または操作パネル９(入力操作部)の操作をしていないときに、広告情報取得部１１０ｅによって管理サーバー２００(情報提供装置)から広告情報(静止画、動画、音声など)を取得する。ここで、管理サーバー２００は、広告情報提供部２００ｃから、通信部２００ａ,インターネット網Ｎおよび無線アクセスポイント８０を介して加熱調理器１００に広告情報を送信する。そして、加熱調理器１００のＷｉＦｉ通信モジュール１２０を介して制御装置１１０の通信制御部１１０ｂにより受けた広告情報は、広告情報取得部１１０ｅに取得される。この実施の形態では、広告情報のダウンロードには、３０秒〜４０秒程度の時間を要する。
【００３５】
次に、広告情報取得部１１０ｅが取得した広告情報に基づいて、表示制御部１１０ｃによりカラー液晶表示部１０を制御して、加熱調理の終了直前の予め定められた期間にカラー液晶表示部１０に広告を表示する。例えば、この第１実施形態では、加熱調理時間が残り１分になると、調理終了のガイダンスを表示(および音声出力)し、残り３０秒になってから１５秒間、カラー液晶表示部１０に広告を表示した後、残り１５秒間は加熱調理の残時間を表示する。このとき、スピーカ２０から音声により調理終了の旨を通知する。
【００３６】
例えば、図１２に示すように、「春巻き＆シュウマイ」を加熱調理中のカラー液晶表示部１０の画面において、調理終了のガイダンスを表示(および音声出力)した後、残り３０秒になってから広告情報１１(「水を使わない電気鍋」)を表示する。
【００３７】
なお、上記加熱調理器１００では、加熱調理時間が１分以上の加熱でない場合は、広告を表示しないようにしているが、加熱調理時間が１分未満の場合においても広告を表示するようにしてもよい。
【００３８】
また、広告情報取得部１１０ｅが取得した広告情報に基づいて、加熱調理の開始直後の予め定められた期間にカラー液晶表示部１０に広告を表示するようにしてもよい。例えば、この第１実施形態では、加熱調理をスタートしてから１５秒間、カラー液晶表示部１０に広告を表示した後、加熱調理の残時間を表示する。
【００３９】
また、広告情報取得部１１０ｅが取得した広告情報に基づいて、加熱調理を終了した時点から扉３が開閉されるまでの期間にカラー液晶表示部１０に広告を表示するようにしてもよい。ここで、制御装置１１０は、ドアセンサ５０の信号に基づいて扉３が開閉を検知する。
【００４０】
上記第１実施形態の加熱調理器１００によれば、表示制御部１１０ｃによりカラー液晶表示部１０を制御して、カラー液晶表示部１０の表示画面をユーザーが見る可能性が高い時間に広告を表示するので、ユーザーに煩わしさを感じさせることなく効果的な広告表示を行うことができる。
【００４１】
また、加熱調理の終了直前はユーザーが近くにいてカラー液晶表示部１０の表示画面が目に触れやすいので、加熱調理の終了直前の予め定められた期間にカラー液晶表示部１０に広告を表示することによって、より効果的な広告通知ができる。
【００４２】
なお、加熱調理の終了直前において加熱調理の終了を事前に音声や表示により報知した後では、ユーザーが加熱調理器１００の近くに来て表示部１０の表示画面が目に触れやすいので、加熱調理の終了直前の予め定められた期間で、かつ、加熱調理の終了を事前に報知した後に、カラー液晶表示部１０に広告を表示するようにしてもよい。これによって、より効果的な広告通知ができる。
【００４３】
また、加熱調理の開始直後はユーザーが近くにいてカラー液晶表示部１０の表示画面が目に触れやすいので、加熱調理の開始直後の予め定められた期間にカラー液晶表示部１０に広告を表示することによって、より効果的な広告通知ができる。
【００４４】
また、加熱調理を終了した時点から扉３を開閉するまでの期間は、ユーザーが食品を加熱庫から取り出すために必ず扉３の前に立つので、カラー液晶表示部１０の表示画面が目に触れやすい。したがって、加熱調理を終了した時点から扉３が開閉されるまでの期間に、カラー液晶表示部１０に広告を表示することによって、より効果的な広告通知ができる。
【００４５】
あるいは、加熱調理を終了後に扉３の開放をドアセンサ５０により検出したとき、ユーザーが食品を加熱庫２から取り出そうとして必ず近くにいるので、このときにカラー液晶表示部１０に広告を表示することによって、より効果的な広告通知ができる。
【００４６】
なお、ユーザーが近くいることを検知する人感センサを備え、人感センサにより加熱調理器１００の近くにユーザーがいることを検知したときに、カラー液晶表示部１０に広告を表示するようにしてもよい。
【００４７】
また、加熱調理中または操作パネル９(入力操作部)の操作をしていないときに、広告情報取得部１１０ｅによって管理サーバー２００(情報提供装置)から広告情報を取得するので、制御装置に処理能力が低いＣＰＵ(Central Processing Unit：中央処理装置)などを用いても、広告情報を取得する処理が加熱調理の制御や操作パネル９の制御に影響しないようにできる。ここで、操作パネル９(入力操作部)の操作をしていないときとは、操作パネル９の操作が一定時間以上ないときとする。
【００４８】
上記加熱調理システムの加熱調理器１００は、時計機能を備えていない。しかしながら、管理サーバー２００が時計機能とカレンダー機能を備えているので、管理サーバー２００から時刻や日付に基づいて適切な広告情報を提供することで、加熱調理器１００において朝昼晩の食事や季節の食材などの時刻や日付に応じた広告を表示することができる。
【００４９】
なお、上記加熱調理器１００に時計機能とカレンダー機能を備え、同様の広告を表示するようにしてもよい。
【００５０】
また、管理サーバー２００から加熱調理器１００への広告情報のダウンロードを、例えば加熱調理器１００が普段使わない時間帯に行うことにより、受信に時間のかかる大きな広告情報を容易にダウンロードすることが可能になる。ここで、普段使わない時間帯は、加熱調理器１００から実行された調理メニューの履歴情報を管理サーバー２００に提供することにより、管理サーバー２００において、加熱調理器１００が普段使わない時間帯を判断することができる。
【００５１】
〔第２実施形態〕
図５はこの発明の第２実施形態の加熱調理システムの加熱調理器１１００の制御ブロック図を示し、図６は上記加熱調理システムの管理サーバー１２００の制御ブロック図を示している。この第２実施形態の加熱調理器１１００は、履歴通知部１１１０ｆを除いて第１実施形態の加熱調理器１００と同一の構成をし、この第２実施形態の管理サーバー１２００は、履歴管理部１２００ｄを除いて第１実施形態の管理サーバー２００と同一の構成をしており、図１〜図４を援用する。
【００５２】
この第２実施形態の加熱調理器１１００の制御装置１１１０は、図５に示すように、加熱制御部１１０ａと、通信制御部１１０ｂと、表示制御部１１０ｃと、調理メニュー管理部１１０ｄと、広告情報取得部１１０ｅと、カラー液晶表示部１０に表示した広告の履歴情報を管理サーバー１２００(情報提供装置)に通知する履歴通知部１１１０ｆを備える。
【００５３】
また、上記管理サーバー１２００は、図６に示すように、通信部２００ａと、調理メニュー管理部２００ｂと、広告情報提供部２００ｃと、加熱調理器１１００から通知された広告の履歴情報を管理する履歴管理部１２００ｄを備える。
【００５４】
上記構成の加熱調理器１１００において、カラー液晶表示部１０に表示した広告の履歴情報を履歴通知部１１１０ｆから管理サーバー１２００に通知する。そして、管理サーバー１２００の履歴管理部１２００ｄは、加熱調理器１１００から受けた広告の履歴情報を管理する。この履歴管理部１２００ｄにより管理された広告の履歴情報に基づいて、広告情報提供部２００ｃは、加熱調理器１１００で表示された広告とは別の広告情報を選択して、その選択された広告情報を通信部２００ａによりインターネット網Ｎおよび無線アクセスポイント８０を介して加熱調理器１００に送信する。
【００５５】
このようにして、上記加熱調理器１１００の広告情報取得部１１０ｅは、広告の履歴情報が通知された管理サーバー１２００から、カラー液晶表示部１０に表示された広告とは別の広告の情報を取得可能とする。これによって、同じ広告を何度も表示しないようにでき、毎回ユーザーが広告に興味を持つようにできる。
【００５６】
上記第２実施形態の加熱調理器１１００は、第１実施形態の加熱調理器１００と同様の効果を有する。
【００５７】
〔第３実施形態〕
図７はこの発明の第３実施形態の加熱調理システムの加熱調理器２１００の制御ブロック図を示し、図８は上記加熱調理システムの管理サーバー２２００の制御ブロック図を示している。この第２実施形態の加熱調理器２１００は、テレビ広告情報取得部２１１０ｆとテレビ広告連動部２１１０ｇとを除いて第１実施形態の加熱調理器１００と同一の構成をし、この第２実施形態の管理サーバー２２００は、テレビ広告情報提供部２２００ｄを除いて第１実施形態の管理サーバー２００と同一の構成をしており、図１〜図４を援用する。ここで、管理サーバー２２００は、テレビ広告提供装置の一例である。
【００５８】
この第３実施形態の加熱調理器２１００の制御装置２１１０は、図７に示すように、加熱制御部１１０ａと、通信制御部１１０ｂと、表示制御部１１０ｃと、調理メニュー管理部１１０ｄと、広告情報取得部１１０ｅと、カラー液晶表示部１０に表示するためのテレビ広告に関わる情報を管理サーバー２２００(テレビ広告提供装置)から取得するテレビ広告情報取得部２１１０ｆと、テレビ広告情報取得部２１１０ｆにより取得された上記テレビ広告をカラー液晶表示部１０に表示するタイミングを、テレビ放送において放送されるテレビ広告と連動させるテレビ広告連動部２１１０ｇとを備える。
【００５９】
また、上記管理サーバー２２００は、図８に示すように、通信部２００ａと、調理メニュー管理部２００ｂと、広告情報提供部２００ｃと、加熱調理器２１００にテレビ広告に関わる情報を提供するテレビ広告情報提供部２２００ｄを備える。このテレビ広告情報提供部２２００ｄが提供するテレビ広告に関わる情報は、例えば、テレビ放送される商品のテレビ広告に合わせて、その商品に対応付けて加熱調理器２１０に表示するために作成された広告情報(お得情報など)などである。
【００６０】
上記構成の加熱調理器２１０において、テレビ広告情報取得部２１１０ｆによって、カラー液晶表示部１０に表示するためのテレビ広告に関わる情報を管理サーバー２２００(テレビ広告提供装置)から取得する。そして、加熱調理器２１０に取得されたテレビ広告に関わる情報を、テレビ広告連動部２１１０ｇによってテレビ放送において放送されるテレビ広告と連動させてカラー液晶表示部１０に表示するように、カラー液晶表示部１０を制御する。これによって、さらに効果的な広告通知ができる。
【００６１】
上記第３実施形態の加熱調理器２１００は、第１実施形態の加熱調理器１００と同様の効果を有する。
【００６２】
なお、上記第３実施形態では、テレビ放送において放送されるテレビ広告と連動させてテレビ広告に関わる情報をカラー液晶表示部１０に表示したが、所定時間内に放送予定のテレビ広告に関する情報を表示部に表示するようにしてもよい。
【００６３】
例えば、数分後に放送予定のテレビ広告に関する情報を表示することにより、テレビで放映されるテレビ広告にユーザーを誘導することができる。
【００６４】
〔第４実施形態〕
図９はこの発明の第４実施形態の加熱調理システムの加熱調理器３１００の制御ブロック図を示している。この第４実施形態の加熱調理器３１００は、音声処理部３１１０ｆと音声出力制御部３１１０ｇを除いて第１実施形態の加熱調理器１００と同一の構成をしており、図１,図２,図３を援用する。
【００６５】
この第４実施形態の加熱調理器３１００の制御装置３１１０は、図９に示すように、加熱制御部１１０ａと、通信制御部１１０ｂと、表示制御部１１０ｃと、調理メニュー管理部１１０ｄと、広告情報取得部１１０ｅと、音声入力部の一例としてのマイク６０に入力された音声信号などを処理する音声処理部３１１０ｆと、音声出力部の一例としてのスピーカ２０に音声信号を出力する音声出力制御部３１１０ｇとを備える。
【００６６】
上記構成の加熱調理器３１００において、加熱調理中または操作パネル９(入力操作部)の操作をしていないときに、広告情報取得部１１０ｅによって管理サーバー２００(情報提供装置)から広告情報を取得する。ここで、管理サーバー２００は、広告情報提供部２００ｃから広告情報を、通信部２００ａ,インターネット網Ｎおよび無線アクセスポイント８０を介して加熱調理器３１００に送信する。そして、加熱調理器３１００のＷｉＦｉ通信モジュール１２０を介して制御装置１１０の通信制御部１１０ｂにより受けた広告情報は、広告情報取得部１１０ｅに取得される。この広告情報のダウンロードには、３０秒〜４０秒程度の時間を要する。
【００６７】
次に、広告情報取得部１１０ｅが取得した広告情報に基づいて、音声処理部３１１０ｆにより、加熱調理の終了直前の予め定められた期間に、スピーカ２０から広告情報を音声出力する。なお、加熱調理時間が１分以上の加熱でない場合は、スピーカ２０から広告情報を音声出力しない。
【００６８】
なお、上記加熱調理器３１００では、加熱調理時間が１分以上の加熱でない場合は、スピーカ２０から広告情報を音声出力しないようにしているが、加熱調理時間が１分未満の場合においてもスピーカ２０から広告情報を音声出力するようにしてもよい。
【００６９】
また、広告情報取得部１１０ｅが取得した広告情報に基づいて、加熱調理の開始直後の予め定められた期間に、スピーカ２０から広告情報を音声出力する。
【００７０】
また、広告情報取得部１１０ｅが取得した広告情報に基づいて、加熱調理を終了した時点から扉３が開閉されるまでの期間に、スピーカ２０から広告情報を音声出力する。
【００７１】
上記構成の加熱調理器３１００によれば、音声処理部３１１０ｆによりスピーカ２０(音声出力部)から出力された音声がユーザーに聞こえる可能性が高い時間に、スピーカ２０により広告情報を音声出力するので、ユーザーに煩わしさを感じさせることなく効果的な広告通知ができる。
【００７２】
上記第４実施形態の加熱調理器３１００は、第１実施形態の加熱調理器１００と同様の効果を有する。
【００７３】
〔第５実施形態〕
この発明の第５実施形態の加熱調理システムの加熱調理器３１００は、音声処理部３１１０ｆの動作を除いて第４実施形態の加熱調理器３１００と同一の構成をしており、図１,図２,図３,図９を援用する。
【００７４】
この第５実施形態の加熱調理器３１００では、マイク６０に入力された音声に基づいて、音声処理部３１１０ｆにより声紋認証を行って話者を特定する。ここで、ユーザー毎に予め決められた言葉をマイク６０に音声入力して、音声処理部３１１０ｆに声紋を登録しておく。上記音声処理部３１１０ｆは、話者特定部の一例である。
【００７５】
そして、話者を特定することにより、複数のユーザー(父、母、子供など)の１人１人に合わせた調理メニューを、調理メニュー管理部１１０ｄによりカラー液晶表示部１０に表示する(お勧めメニューの提案)。これにより、ユーザーに応じたお勧め調理メニューを提案することができる。上記調理メニュー管理部１１０ｄは、調理メニュー提案部の一例である。
【００７６】
また、上記加熱調理器３１００では、マイク６０への音声入力によって、入力操作を行う機能を備え、例えば、加熱方式(マイクロ波加熱、ヒータ加熱、蒸しなど)、調理メニュー、食材、加熱時間などを音声入力により操作することができる。
【００７７】
なお、上記音声処理部３１１０ｆによる声紋認証を用いて、話者が子供であると特定すると、子供が間違って音声入力により動作させて怪我などがないように、入力操作をロックする。これにより、より安全な加熱調理器を実現できる。
【００７８】
上記第５実施形態の加熱調理器３１００は、第４実施形態の加熱調理器３１００と同様の効果を有する。
【００７９】
〔第６実施形態〕
この発明の第６実施形態の加熱調理システムの加熱調理器３１００は、音声処理部３１１０ｆの動作を除いて第４実施形態の加熱調理器３１００と同一の構成をし、この第６実施形態の管理サーバー２００は、広告情報提供部２００ｃの動作を除いて第１実施形態の管理サーバー２００と同一の構成をしており、図１〜図４,図９を援用する。
【００８０】
この第６実施形態の加熱調理器３１００では、マイク６０に入力された音声に基づいて、音声処理部３１１０ｆにより音声認識を行う。
【００８１】
以下、管理サーバー２００から加熱調理器３１００に広告情報をダウンロードすることを「広告情報の配信」という。
【００８２】
＜広告情報の配信設定＞
上記加熱調理器３１００では、マイク６０への音声入力によって、入力操作を行う機能を備え、広告情報の配信の前に、広告情報の配信をお知らせする予告通知(表示または音声による予告配信)を管理サーバー２００から行う。この予告通知の情報は、広告情報を配信する管理サーバー２００の広告情報提供部２００ｃから加熱調理器３１００に対して送信される。
【００８３】
そして、予告通知によりユーザーは、音声入力または操作パネル９(入力操作部)の操作により広告情報の配信を拒否したり承諾したりすることができる。広告情報の配信を拒否した場合は、広告情報の配信がされず、広告情報の配信を承諾した場合は、広告情報の配信がされる(図１０参照)。
【００８４】
なお、加熱調理器３１００おいて、予告通知において広告情報の配信を承諾した場合、それ以降において広告情報の配信を受けない設定に変更することも可能になっている。
【００８５】
また、図１１に示すように、クラウド側(管理サーバー２００側)において、広告情報の配信の条件(特定の調理メニュー、特定の日時など)を設定することを可能としている。例えば、加熱調理器３１００から実行された調理メニューの履歴情報を管理サーバー２００により受けて、管理サーバー２００において醤油を用いた調理が多いと判断した場合、醤油の広告の需要や醤油の新商品の広告、あるいは、近隣スーパーのチラシの醤油広告などの中から適宜選択して、醤油に関わる広告情報を配信する。
【００８６】
＜音声対話＞
また、クラウド側(管理サーバー２００側)と加熱調理器３１００は、両者の間で音声により対話する音声対話機能を夫々備える。
【００８７】
加熱調理器３１００は、広告情報が配信されたらカラー液晶表示部１０に「広告が届いたよ」などの表示(および音声出力)をして、ユーザーに知らせる。さらに、カラー液晶表示部１０に「聞く、聞かない？」などの表示(および音声出力)をして、操作パネル９に表示された選択ボタンにより広告を表示するか否かを選択するようにユーザーを誘導する。
【００８８】
そして、広告表示を選択すると、例えば、図１１の広告では、
『○○○の薄口しょうゆは
季節の野菜を使った煮物や
お吸い物にピッタリ。
今なら抽選でプレゼント実施中。
お料理のできあがり前にお知らせを
流すので、チェックしてね。        』
と表示される(「※運用で音声のみ広告も可能」)。
【００８９】
そして、これに関連する広告が次に配信されて、
『プレゼント応募の
キーワードは、
○○○○○だよ。』
と表示される(「※プレゼントはＷＥＢで申し込み」)。
【００９０】
＜チュートリアル＞
また、加熱調理器３１００がユーザーからチュートリアルや使い方を聞かれた場合、回答の中に広告情報の配信のオンオフの設定方法をお知らせする。
【００９１】
例えば、図１１では、
『《チュートリアル》の一環で・・・
お得な情報等が配信されます。
配信を止めたい時は、配信停止して。
再開したい時は配信開始して。
と言ってね。
使い方教えて。と聞いたら、
また、やり方を説明するよ。        』
と表示される。
【００９２】
なお、上記音声対話において、広告情報の配信のオンオフの設定を可能としている。
【００９３】
上記第６実施形態の加熱調理器３１００は、第４実施形態の加熱調理器３１００と同様の効果を有する。
【００９４】
上記第１〜第６実施形態では、表示部に広告を表示する加熱調理器について説明したが、音声のみにより広告を通知する加熱調理器に適用してもよい。
【００９５】
また、上記第１〜第６実施形態では、広告が配信される加熱調理器について説明したが、配信される情報は広告に限らず、ユーザーの嗜好にあったお勧めの食材や調理メニューあるいはお役立ち情報などを配信するようにしてもよい。
【００９６】
この発明の加熱調理器としては、例えば、マグネトロンおよびヒータを備えたオーブンレンジに限らず、マイクロ波加熱方式の電子レンジや炊飯器などの他の加熱調理器でもよい。
【００９７】
この発明の具体的な実施の形態について説明したが、この発明は上記第１〜第６実施形態に限定されるものではなく、この発明の範囲内で種々変更して実施することができる。例えば、上記第１〜第６実施形態で記載した内容を適宜組み合わせたものを、この発明の一実施形態としてもよい。
【００９８】
この発明および実施形態をまとめると、次のようになる。
【００９９】
この発明の加熱調理器は、
表示部１０と、
上記表示部１０を制御する表示制御部１１０ｃと
を備え、
上記表示制御部１１０ｃは、上記表示部１０の表示画面をユーザーが見る可能性が高い時間に広告を表示するように、上記表示部１０を制御することを特徴とする。
【０１００】
上記構成によれば、表示制御部１１０ｃにより表示部１０を制御して、表示部１０の表示画面をユーザーが見る可能性が高い時間に広告を表示するので、ユーザーに煩わしさを感じさせることなく効果的な広告通知ができる。
【０１０１】
また、一実施形態の加熱調理器では、
上記表示部１０の表示画面をユーザーが見る可能性が高い時間は、加熱調理の終了直前の予め定められた期間を含む。
【０１０２】
上記実施形態によれば、加熱調理の終了直前はユーザーが近くにいて表示部１０の表示画面が目に触れやすいので、加熱調理の終了直前の予め定められた期間に表示部１０に広告を表示することで、より効果的な広告通知ができる。
【０１０３】
また、一実施形態の加熱調理器では、
上記表示部の表示画面をユーザーが見る可能性が高い時間は、上記加熱調理の終了直前の予め定められた期間で、かつ、上記加熱調理の終了を事前に報知した後である。
【０１０４】
上記実施形態によれば、加熱調理の終了直前において加熱調理の終了を事前に報知した後では、ユーザーが加熱調理器の近くに来て表示部１０の表示画面が目に触れやすいので、より効果的な広告通知ができる。
【０１０５】
また、一実施形態の加熱調理器では、
上記表示部１０の表示画面をユーザーが見る可能性が高い時間は、加熱調理の開始直後の予め定められた期間を含む。
【０１０６】
上記実施形態によれば、加熱調理の開始直後はユーザーが近くにいて表示部１０の表示画面が目に触れやすいので、加熱調理の開始直後の予め定められた期間に表示部１０に広告を表示することで、より効果的な広告通知ができる。
【０１０７】
また、一実施形態の加熱調理器では、
被加熱物を加熱するための加熱庫２と、
上記加熱庫２の開口部を開閉する扉３と
を備え、
上記表示部１０の表示画面をユーザーが見る可能性が高い時間は、加熱調理を終了した時点から上記扉３が開閉されるまでの期間を含む。
【０１０８】
上記実施形態によれば、加熱庫２内の被加熱物を加熱する加熱調理を終了した時点から扉３を開閉するまでの期間は、ユーザーが食品を加熱庫２から取り出すために必ず扉３の前に立つので、表示部１０の表示画面が目に触れやすい。したがって、上記期間に表示部１０に広告を表示することにより、より効果的な広告通知ができる。
【０１０９】
また、一実施形態の加熱調理器では、
ユーザーにより操作される入力操作部９と、
上記表示部１０に表示するための上記広告の情報を外部の情報提供装置２００から取得する広告情報取得部１１０ｅと
を備え、
上記広告情報取得部１１０ｅは、加熱調理中または上記入力操作部９の操作をしていないときに、上記情報提供装置２００から上記広告の情報を取得する。
【０１１０】
上記実施形態によれば、加熱調理中または入力操作部９の操作をしていないときに、広告情報取得部１１０ｅによって情報提供装置２００から広告の情報を取得するので、制御部に処理能力が低いＣＰＵ(Central Processing Unit：中央処理装置)などを用いても、広告情報を取得する処理が加熱調理の制御や入力操作部９の制御に影響しないようにできる。
【０１１１】
また、一実施形態の加熱調理器では、
上記表示部１０に表示した上記広告の履歴を上記情報提供装置１２００に通知する履歴通知部１１１０ｆを備え、
上記広告情報取得部１１０ｅは、上記履歴通知部１１１０ｆにより上記広告の履歴が通知された上記情報提供装置１２００から、上記表示部１０に表示された上記広告とは別の広告の情報を取得可能とした。
【０１１２】
上記実施形態によれば、表示部１０に表示した広告の履歴を履歴通知部１１１０ｆから情報提供装置１２００に通知し、広告情報取得部１１０ｅは、広告の履歴が通知された情報提供装置１２００から、表示部１０に表示された広告とは別の広告の情報を取得可能とすることによって、同じ広告を何度も表示しないようにでき、毎回ユーザーが広告に興味を持つようにできる。
【０１１３】
また、一実施形態の加熱調理器では、
上記表示部１０に表示するためのテレビ広告に関わる情報を外部のテレビ広告提供装置２２００から取得するテレビ広告情報取得部２１１０ｆと、
上記テレビ広告情報取得部２１１０ｆにより取得された上記テレビ広告に関わる情報を上記表示部１０に表示するタイミングを、テレビ放送において放送される上記テレビ広告と連動させるテレビ広告連動部２１１０ｇと
を備え、
上記表示制御部１１０ｃは、上記テレビ広告情報取得部２１１０ｆにより取得された上記テレビ広告に関わる情報を、上記テレビ広告連動部２１１０ｇによって上記テレビ放送において放送される上記テレビ広告と連動させて上記表示部１０に表示するように、上記表示部１０を制御する。
【０１１４】
上記実施形態によれば、テレビ広告情報取得部２１１０ｆによって、表示部１０に表示するためのテレビ広告に関わる情報を外部のテレビ広告提供装置２２００から取得し、取得されたテレビ広告に関わる情報を、テレビ広告連動部２１１０ｇによってテレビ放送において放送されるテレビ広告と連動させて表示部１０に表示するので、さらに効果的な広告通知ができる。
【０１１５】
また、この発明の加熱調理器は、
音声出力部２０と、
上記音声出力部２０を制御する音声出力制御部３１１０ｇと
を備え、
上記音声出力制御部３１１０ｇは、上記音声出力部２０から出力された音声がユーザーに聞こえる可能性が高い時間に広告情報を音声出力するように、上記音声出力部２０を制御することを特徴とする。
【０１１６】
上記構成によれば、音声出力制御部３１１０ｇにより音声出力部２０を制御して、音声出力部２０から出力される音声がユーザーに聞こえる可能性が高い時間に、音声出力部２０により広告情報を音声出力するので、ユーザーに煩わしさを感じさせることなく効果的な広告通知ができる。
【０１１７】
また、この発明の加熱調理器は、
表示部１０と、
上記表示部１０を制御する表示制御部１１０ｃと
を備え、
上記表示部１０に表示するためのテレビ広告に関わる情報を外部のテレビ広告提供装置２２００から取得するテレビ広告情報取得部２１１０ｆと、
上記テレビ広告情報取得部２１１０ｆにより取得された上記テレビ広告に関わる情報を上記表示部１０に表示するタイミングを、テレビ放送において放送される上記テレビ広告と連動させるテレビ広告連動部２１１０ｇと
を備え、
上記表示制御部１１０ｃは、上記テレビ広告情報取得部２１１０ｆにより取得された上記テレビ広告に関わる情報を、上記テレビ広告連動部２１１０ｇによって上記テレビ放送において放送される上記テレビ広告と連動させて上記表示部１０に表示するように、上記表示部１０を制御することを特徴とする。
【０１１８】
上記構成によれば、テレビ広告情報取得部２１１０ｆによって、表示部１０に表示するためのテレビ広告に関わる情報を外部のテレビ広告提供装置２２００から取得し、取得されたテレビ広告に関わる情報を、テレビ広告連動部２１１０ｇによってテレビ放送において放送されるテレビ広告と連動させて表示部１０に表示するので、効果的な広告通知ができる。
【０１１９】
また、この発明の加熱調理器は、
音声を入力する音声入力部と、
上記音声入力部により入力された音声に基づいて、声紋認証を行って話者を特定する話者特定部と、
上記話者特定部により特定された話者に応じた調理メニューを提案する調理メニュー提案部と
を備えたことを特徴とする。
【０１２０】
上記構成によれば、音声入力部により入力された音声に基づいて、話者特定部により声紋認証を行って特定された話者に対して、その話者に最適なお勧め調理メニューを提案することができる。
【符号の説明】
【０１２１】
１…本体ケーシング
２…加熱庫
３…扉
５…排気ダクト
６…露受容器
７…外ガラス
８…ハンドル
９…操作パネル
１０…カラー液晶表示部
１２…取り消しキー
１３…スタートキー
１４…ＮＦＣ通信アンテナ部
２０…スピーカ
３０…ヒータ
４０…マグネトロン
５０…ドアセンサ
８０…無線アクセスポイント
１００,１１００,２１００,３１００…加熱調理器
１１０…制御装置
１１０ａ…加熱制御部
１１０ｂ…通信制御部
１１０ｃ…表示制御部
１１０ｄ…調理メニュー管理部
１１０ｅ…広告情報取得部
１２０…ＷｉＦｉ通信モジュール
２００,１２００,２２００…管理サーバー
２００ａ…通信部
２００ｂ…調理メニュー管理部
２００ｃ…広告情報提供部
１１１０ｆ…履歴通知部
１２００ｄ…履歴管理部
２１１０ｆ…テレビ広告情報取得部
２１１０ｇ…テレビ広告連動部
２２００ｄ…テレビ広告情報提供部
３１１０ｆ…音声処理部
３１１０ｇ…音声出力制御部
Ｎ…インターネット網
【図１】
2018003149.tif 000003
【図２】
2018003149.tif 000004
【図３】
2018003149.tif 000005
【図４】
2018003149.tif 000006
【図５】
2018003149.tif 000007
【図６】
2018003149.tif 000008
【図７】
2018003149.tif 000009
【図８】
2018003149.tif 000010
【図９】
2018003149.tif 000011
【図１０】
2018003149.tif 000012
【図１１】
2018003149.tif 000013
【図１２】
2018003149.tif 000014
【国際調査報告】
2018003149.tif 000015
2018003149.tif 000016
2018003149.tif 000017
2018003149.tif 000018